(57)【特許請求の範囲】
【請求項１】
ノズルから噴射される燃料ガスを燃焼させるバーナと、
前記バーナに向けて燃焼用空気を送る燃焼ファンと、
前記バーナからの燃焼排気との熱交換によって熱媒を加熱する熱交換器と、
前記バーナへの前記燃料ガスの供給量を制御して前記熱媒の温度を調節する燃焼制御部と、
前記熱交換器を通過した前記燃焼排気を外部に排出する排気口と、
前記バーナの消火後に、前記燃焼ファンの送風を所定時間に亘って維持することで前記燃焼排気を前記排気口から排出させる掃気運転の実行を制御する掃気制御部と、
外気温を検知する外気温センサーと
を備え、前記熱媒を介して熱を供給する熱源装置において、
前記燃焼制御部は、前記熱媒の温度が所定温度を超えると、該熱媒の温度を維持するように前記バーナの消火と燃焼とを繰り返す断続燃焼制御を実行可能であり、
前記掃気制御部は、
前記外気温センサーの検知温度が基準値以上であると、前記掃気運転を第１所定時間に亘って実行するのに対し、
前記外気温センサーの検知温度が前記基準値よりも低いと、前記第１所定時間よりも長い第２所定時間に亘って前記掃気運転を実行し、
前記断続燃焼制御によって前記バーナの消火が行われた場合には、前記外気温センサーの検知温度が前記基準値よりも低くても、前記掃気運転の実行時間を、前記第２所定時間よりも短く、且つ前記第１所定時間以上に設定する
ことを特徴とする熱源装置。
【発明の詳細な説明】
【技術分野】
【０００１】
本発明は、バーナの消火後に燃焼ファンの送風によって燃焼排気を排出させる掃気運転を実行する熱源装置に関する。
【背景技術】
【０００２】
温水などの熱媒を介して暖房や給湯に用いる熱を供給する熱源装置が知られている。熱源装置は、ノズルから噴射される燃料ガスを燃焼させるバーナや、バーナに向けて燃焼用空気を送る燃焼ファンや、バーナからの燃焼排気との熱交換によって熱媒を加熱する熱交換器などを搭載しており、バーナへの燃料ガスの供給量を制御して火力（生成熱量）を変更することで、熱媒の温度を調節することが可能である。また、バーナの火力を最小に抑えても熱媒の温度が所定温度を超える場合には、バーナの消火と燃焼とを繰り返す断続燃焼制御によって熱媒の温度を維持することが行われている。
【０００３】
こうした熱源装置では、バーナの消火後に、燃焼ファンの送風を維持してポストパージ（掃気運転）を行うようになっている（例えば、特許文献１）。これは、バーナの消火後に暖かく湿った燃焼排気が排出されずに装置内に残留することで、結露が生じてノズルが塞がれてしまい、次回の燃焼時に点火不良を起こすことがあるためであり、ポストパージを行うことで、燃焼排気を排気口から外部に排出させる。特に外気温が低いなどの結露し易い状況では、ポストパージの時間を長く確保することで、結露の発生を抑制している。
【先行技術文献】
【特許文献】
【０００４】
【特許文献１】特開２０１３−２４２０９６号公報
【発明の概要】
【発明が解決しようとする課題】
【０００５】
しかし、ポストパージが長くなると、熱源装置内のバーナや熱交換器が冷却されることになるので、熱媒の温度を維持する上で熱効率が大きく低下してしまうという問題があった。
【０００６】
この発明は従来の技術における上述した課題に対応してなされたものであり、バーナの消火後にノズルで結露が生じることを抑制しつつ、熱媒の温度を維持する熱効率を向上させることが可能な熱源装置の提供を目的とする。
【課題を解決するための手段】
【０００７】
上述した課題を解決するために、本発明の熱源装置は次の構成を採用した。すなわち、
ノズルから噴射される燃料ガスを燃焼させるバーナと、
前記バーナに向けて燃焼用空気を送る燃焼ファンと、
前記バーナからの燃焼排気との熱交換によって熱媒を加熱する熱交換器と、
前記バーナへの前記燃料ガスの供給量を制御して前記熱媒の温度を調節する燃焼制御部と、
前記熱交換器を通過した前記燃焼排気を外部に排出する排気口と、
前記バーナの消火後に、前記燃焼ファンの送風を所定時間に亘って維持することで前記燃焼排気を前記排気口から排出させる掃気運転の実行を制御する掃気制御部と、
外気温を検知する外気温センサーと
を備え、前記熱媒を介して熱を供給する熱源装置において、
前記燃焼制御部は、前記熱媒の温度が所定温度を超えると、該熱媒の温度を維持するように前記バーナの消火と燃焼とを繰り返す断続燃焼制御を実行可能であり、
前記掃気制御部は、
前記外気温センサーの検知温度が基準値以上であると、前記掃気運転を第１所定時間に亘って実行するのに対し、
前記外気温センサーの検知温度が前記基準値よりも低いと、前記第１所定時間よりも長い第２所定時間に亘って前記掃気運転を実行し、
前記断続燃焼制御によって前記バーナの消火が行われた場合には、前記外気温センサーの検知温度が前記基準値よりも低くても、前記掃気運転の実行時間を、前記第２所定時間よりも短く、且つ前記第１所定時間以上に設定する
ことを特徴とする。
【０００８】
このような本発明の熱源装置では、バーナの燃焼によってノズルが暖まる前にバーナの消火が行われることがあり、こうした場合にノズルで結露する可能性があるため、所定時間に亘って掃気運転を十分に行い排気口から燃焼排気を排出させることで、ノズルでの結露の発生を抑制することができる。このとき、まず外気温に基づいて、ノズルで結露が生じ易い状況であるか否かを判断し、外気温が基準値よりも低く結露が生じ易い状況では、掃気運転の実行時間を第１所定時間から第２所定時間に延長することで、結露の発生を抑制することができる。ただし、断続燃焼制御によってバーナの消火が行われた場合は、熱媒の温度が所定温度を超えるまでにノズルは十分に暖まっており、結露が生じ難い。そして、断続燃焼制御ではバーナの消火が行われても、その後にバーナでの燃焼の再開が予定されていることから、外気温が基準値よりも低くても、掃気運転の実行時間を第２所定時間に延長しない、あるいは第２所定時間よりも短くすることで、掃気運転（燃焼ファンの送風）による熱交換器などの冷却を低減することができ、その結果、熱媒の温度を維持する熱効率を向上させることが可能となる。
【図面の簡単な説明】
【００１１】
【図１】熱媒を介して暖房用の熱を供給する本実施例の熱源装置１の構成を示した説明図である。
【図２】本実施例の燃焼ユニット１００に搭載されたマニホールド１２０およびバーナ１１０の構造を示した説明図である。
【図３】バーナ１１０の燃焼を制御し、熱媒を介して暖房端末３００に熱を供給する例を示した説明図である。
【図４】本実施例の制御部１５０が実行する掃気制御処理のフローチャートである。
【図５】変形例の制御部１５０が実行する掃気制御処理のフローチャートである。
【図６】熱源装置１で給湯用の熱を供給する例を示した説明図である。
【発明を実施するための形態】
【００１２】
図１は、熱媒を介して暖房用の熱を供給する本実施例の熱源装置１の構成を示した説明図である。まず、燃料ガスの燃焼によって熱を発生させる燃焼ユニット１００は、燃焼室１０２内に収容された複数（図示した例では８本）のバーナ１１０や、バーナ１１０に向けて複数のノズル１２２が突設され、各ノズル１２２に燃料ガスを分配するマニホールド１２０や、マニホールド１２０に燃料ガスを供給するためのガス流路１３０などを備えている。
【００１３】
ガス流路１３０には、ガス流路１３０を開閉する元弁１３２と、元弁１３２よりも下流側でガス流路１３０を通過する燃料ガスの流量を調整する比例弁１３４とが設けられている。また、本実施例の燃焼ユニット１００では、複数（８本）のバーナ１１０が２つのバーナ群に分けられていることと対応して、比例弁１３４よりも下流側でガス流路１３０が２つに分岐しており、３本のバーナ１１０で構成される第１バーナ群に対応する分岐路を開閉する第１切換弁１３６ａと、５本のバーナ１１０で構成される第２バーナ群に対応する分岐路を開閉する第２切換弁１３６ｂとを備えている。
【００１４】
そして、これら２つの切換弁１３６ａ，１３６ｂの開閉を制御して何れのバーナ群に燃料ガスを供給するかによって、生成熱量（加熱能力）を切り換えることが可能である。例えば、必要とされる熱量が最大の場合は、２つの切換弁１３６ａ，１３６ｂの両方を開弁する。一方、必要とされる熱量が最小の場合は、第１切換弁１３６ａのみを開弁する。その中間の熱量が必要な場合は、第２切換弁１３６ｂだけを開弁する。
【００１５】
また、燃焼室１０２には、バーナ１１０に向けて下方から燃焼用空気を送る燃焼ファン１４０や、高電圧の放電で火花を飛ばす点火プラグ１４２や、バーナ１１０での着火（火炎）を検知する図示しないフレームロッドなどが設けられている。さらに、熱源装置１は、燃焼の制御を行う制御部１５０を搭載しており、元弁１３２、比例弁１３４、２つの切換弁１３６ａ，１３６ｂ、燃焼ファン１４０、点火プラグ１４２、およびフレームロッドは制御部１５０と接続されている。尚、本実施例の制御部１５０は、本発明の「燃焼制御部」に相当している。
【００１６】
燃焼室１０２の上方には、第１熱交換器２００が設けられており、さらに第１熱交換器２００の上方には、第２熱交換器２０２が設けられており、第１熱交換器２００と第２熱交換器２０２とが連絡通路２０４によって接続されている。この連絡通路２０４には、循環ポンプ２０６が設けられており、循環ポンプ２０６は制御部１５０と接続されている。また、第１熱交換器２００および第２熱交換器２０２と、床暖房などの暖房端末３００との間で温水を熱媒として循環させる循環回路２０８が設けられており、第１熱交換器２００には、循環回路２０８の往き通路２０８ａが接続され、第２熱交換器２０２には、循環回路２０８の戻り通路２０８ｂが接続されている。尚、本実施例の熱源装置１では、循環回路２０８を循環させる熱媒として、温水を用いているが、温水に限られず、シリコーン油などを用いてもよい。
【００１７】
制御部１５０は、循環ポンプ２０６を駆動すると共に、燃焼ファン１４０や、元弁１３２、比例弁１３４、２つの切換弁１３６ａ，１３６ｂ、点火プラグ１４２などを制御してバーナ１１０での燃焼を開始させる。循環ポンプ２０６の作動によって循環する熱媒は、第１熱交換器２００でバーナ１１０の燃焼排気との顕熱の熱交換によって加熱され、高温になった熱媒が往き通路２０８ａを通って暖房端末３００に供給される。暖房端末３００では、蛇行する配管などを熱媒が通過しながら放熱することで周囲を暖める。そして、暖房端末３００を通過して冷めた熱媒は、戻り通路２０８ｂを通って第２熱交換器２０２に送られる。
【００１８】
第２熱交換器２０２では、バーナ１１０の燃焼排気から潜熱を回収するようになっており、回収した熱で熱媒が予備加熱される。こうして予備加熱の後、熱媒は連絡通路２０４を通って第１熱交換器２００に戻されて再び加熱される。また、往き通路２０８ａには、第１熱交換器２００側の端部に熱媒温度センサー２１０が設置されており、第１熱交換器２００から流出する熱媒の温度を検知することが可能である。この熱媒温度センサー２１０は、制御部１５０と接続されている。
【００１９】
第２熱交換器２０２の上方には、排気口２３０が設けられている。バーナ１１０の燃焼排気は、燃焼ファン１４０の送風によって上方に送られ、第１熱交換器２００および第２熱交換器２０２を通過した後、排気口２３０から熱源装置１の外部に排出される。また、前述したように第２熱交換器２０２で燃焼排気から潜熱を回収するのに伴い、燃焼排気に含まれる蒸気が凝縮してドレン排水が発生する。このため、第２熱交換器２０２の下方には、ドレン排水を受けるドレン受け２２０が設けられている。そして、ドレン受け２２０に溜まった酸性のドレン排水は、排水管２２２に接続された中和器２２４で中和された後、外部に排出される。
【００２０】
図２は、本実施例の燃焼ユニット１００に搭載されたマニホールド１２０およびバーナ１１０の構造を示した説明図である。まず、図２（ａ）には、マニホールド１２０をバーナ１１０側から見た斜視図が示されている。本実施例のマニホールド１２０は、２枚の板状部材を合わせて形成されており、バーナ１１０側の面には、バーナ１１０に向かって突出したノズル１２２が上下一対でバーナ１１０と同数組（本実施例では８組）設けられている。これらノズル１２２の先端には、ノズル孔１２２ｈが開口している。また、ノズル１２２の下方には、ガス流路１３０の分岐の開閉を切り換える前述した２つの切換弁１３６ａ，１３６ｂが設けられている。
【００２１】
また、本実施例のバーナ１１０は、図２（ａ）に示されるように、一対の板状部材を合わせて形成され、扁平な形状になっている。このバーナ１１０には、上端部に炎口１１２が設けられているとともに、マニホールド１２０側の端部に上下一対のガス流入口１１４が設けられており、一対の板状部材の間に形成された混合通路１１６によってガス流入口１１４と炎口１１２とが接続されている。そして、マニホールド１２０およびバーナ１１０を燃焼ユニット１００に設置した状態では、マニホールド１２０の上下一対のノズル１２２と、バーナ１１０の上下一対のガス流入口１１４とが向き合うように配置されている。尚、図２（ａ）では、１つのバーナ１１０についてのみ例示したが、上下一対のノズル１２２組の各々に対応するバーナ１１０が設けられている。
【００２２】
図２（ｂ）には、バーナ１１０と平行な面でマニホールド１２０を切断した断面図が示されている。図示されるようにマニホールド１２０の２枚の板状部材の間には、分配通路１２６が形成されており、本実施例の燃焼ユニット１００では、前述した２つのバーナ群に対応して２つの分配通路１２６が形成されている。各分配通路１２６はガス流通孔１２４を介してガス流路１３０と連通しており、前述した２つの切換弁１３６ａ，１３６ｂが対応するガス流通孔１２４を開閉するようになっている。従って、２つの切換弁１３６ａ，１３６ｂの開閉を制御することによって、燃料ガスを供給する分配通路１２６を変更することが可能である。
【００２３】
複数のノズル１２２は分配通路１２６に連通しており、切換弁１３６を開弁すると、ガス流通孔１２４から流入した燃料ガスが分配通路１２６を通ってノズル１２２に供給される。そして、ノズル１２２から燃料ガスが噴出すると、燃焼用空気を吸い込みながらバーナ１１０のガス流入口１１４に流入し、混合通路１１６を通過する燃料ガスと燃焼用空気とが混合されて、バーナ１１０の上端部の炎口１１２で混合ガスの燃焼が行われる。
【００２４】
図３は、バーナ１１０の燃焼を制御し、熱媒を介して暖房端末３００に熱を供給する例を示した説明図である。図３（ａ）のグラフには、横軸に時間、縦軸に温度を取って、バーナ１１０の燃焼制御に伴う熱媒温度センサー２１０の検知温度の変化（熱媒の温度変化）が示されている。また、図３（ａ）の時間と対応させて、図３（ｂ）には、バーナ１１０の燃焼と消火とを切り換える様子が模式的に示されており、図３（ｃ）には、燃焼ファン１４０の作動と停止とを切り換える様子が模式的に示されている。
【００２５】
まず、熱源装置１（暖房端末３００）の使用者が図示しない運転スイッチを入れると、制御部１５０は、循環ポンプ２０６および燃焼ファン１４０を作動させると共に、元弁１３２、比例弁１３４、切換弁１３６を開弁して点火プラグ１４２で火花を飛ばすことによってバーナ１１０で燃焼を開始させる。図示した例では、運転開始時の熱媒の温度が低い（外気温に等しい）ことから、熱媒を迅速に暖めるために、２つの切換弁１３６ａ，１３６ｂの両方を開きバーナ１１０の生成熱量を最大（８本のバーナ１１０で燃焼）にして熱媒を加熱する。
【００２６】
そして、暖房端末３００の設定温度に応じた目標温度（例えば６０度）に熱媒の温度が近付くと、バーナ１１０の生成熱量を抑えるために、第１切換弁１３６ａを閉じて第２切換弁１３６ｂだけを開いた状態（５本のバーナ１１０で燃焼）にし、さらに第１切換弁１３６ａだけを開き第２切換弁１３６ｂを閉じてバーナ１１０の生成熱量を最小（３本のバーナ１１０で燃焼）にする。
【００２７】
こうしてバーナ１１０の生成熱量を最小にしていても、熱媒の保温には熱量が大きすぎて過熱されてしまう場合には、熱媒の温度が目標温度よりも高い消火温度（例えば７０度）に達した時点で一旦バーナ１１０を消火する。バーナ１１０の消火は、元弁１３２、比例弁１３４、切換弁１３６の少なくとも１つを閉弁することで行われる。その後、熱媒の温度が目標温度よりも低い点火温度（例えば５０度）まで下がると、バーナ１１０での燃焼を再開させる。尚、このときはバーナ１１０の生成熱量を最小にして熱媒を加熱する。このようにバーナ１１０の消火と燃焼とを繰り返す断続燃焼制御を行うことによって、熱媒の温度を目標温度の付近で維持することができる。
【００２８】
このような熱源装置１では、バーナ１１０の消火後に、マニホールド１２０で結露することでノズル孔１２２ｈが水滴で塞がれることがあり、次回の燃焼時に複数のノズル１２２の一部から燃料ガスが噴射されないことによって、対応するバーナ１１０で点火不良が起きてしまう。こうした結露は、暖かく湿った燃焼排気が排気口２３０から排出されないことによって生じ、前述したように第２熱交換器２０２で燃焼排気から潜熱を回収する熱源装置１では、排気口２３０に強い風が吹き付けると、暖かいドレン排水が溜まるドレン受け２２０を通って湿気を多く含んだ燃焼排気が逆流することによってマニホールド１２０のノズル１２２で結露が生じ易い。また、熱源装置１の運転開始によってバーナ１１０で燃焼が開始された後、マニホールド１２０が十分に暖まる前に、熱源装置１（暖房端末３００）に使用者が運転スイッチを切るなどしてバーナ１１０の消火が行われると、特に結露が生じ易い。
【００２９】
こうした結露の対策として、熱源装置１では、バーナ１１０の消火後に、燃焼ファン１４０の送風を維持してポストパージ（掃気運転ともいう）を行うのが一般的である（図３（ｃ）参照）。ポストパージの時間を長く確保しておけば、燃焼排気が排気口２３０から排出され易くなるので、結露の発生を抑制することができる。その反面、ポストパージが長くなると、燃焼ファン１４０の送風によってバーナ１１０や第１熱交換器２００および第２熱交換器２０２が冷却されることになるため、熱媒の温度を維持する上では、前述した断続燃焼制御において熱媒の温度が点火温度まで下がる（バーナ１１０の燃焼を再開する）タイミングが早まって、熱効率が大きく低下してしまう。そこで、本実施例の熱源装置１では、バーナ１１０の消火後にノズル１２２で結露が生じることを抑制しつつ、熱媒の温度を維持する熱効率を向上させるために、制御部１５０が以下のような掃気制御処理を実行している。
【００３０】
図４は、本実施例の制御部１５０が実行する掃気制御処理のフローチャートである。この掃気制御処理は、バーナ１１０の燃焼制御処理でバーナ１１０の消火が行われると、実行される処理である。尚、本実施例の制御部１５０は、本発明の「掃気制御部」に相当している。掃気制御処理では、まず、作動中の燃焼ファン１４０の送風を継続することによって掃気運転を開始する（ＳＴＥＰ１００）。前述したようにバーナ１１０の燃焼中は、燃焼ファン１４０が作動しており、燃料ガスと燃焼用空気とが適切な比率（空燃比）となるように燃焼ファン１４０の送風量（回転数）が設定される。一方、掃気運転中の燃焼ファン１４０の送風量は、バーナ１１０の生成熱量が最小のときの送風量と同等に設定される。
【００３１】
こうして掃気運転を開始したら、バーナ１１０の消火が、熱媒の温度が消火温度に達したことによるものであるか否かを判断する（ＳＴＥＰ１０２）。前述したようにバーナ１１０の消火は、熱源装置１（暖房端末３００）の運転スイッチが切られるか、あるいは熱媒の温度（熱媒温度センサー２１０の検知温度）が消火温度に達すると行われる。そして、熱媒の温度が消火温度に達したことによるものではなく、運転スイッチが切られたことによってバーナ１１０の消火が行われた場合は（ＳＴＥＰ１０２：ｎｏ）、掃気運転の実行時間（以下、掃気時間）を所定時間に設定する（ＳＴＥＰ１０４）。この所定時間は、暖かく湿った燃焼排気を排気口２３０から排出させると共に、ドレン受け２２０に溜まった暖かいドレン排水やその周辺の温度を下げる（湿気を多く含んだ逆流を抑制する）のに十分な時間、例えば３分に設定される。尚、所定時間は、熱源装置１のバーナ１１０から排気口２３０までの内容積や、燃焼ファン１４０の送風能力に応じて設定される。
【００３２】
これに対して、熱媒の温度が消火温度に達したことによってバーナ１１０の消火が行われた場合は（ＳＴＥＰ１０２：ｙｅｓ）、掃気時間を所定時間よりも短い時間に設定する（ＳＴＥＰ１０６）。掃気運転は、燃焼排気を排気口２３０から排出させるだけでなく、燃焼室１０２に残った燃料ガスを放出して次回の点火時の爆発的な着火を防止したり、バーナ１１０の消火直後に燃焼排気の停滞による第１熱交換器２００の部分的な過熱が起こること（後沸き）を防止したりするためにも必要であることから、所定時間よりも短い時間としては、これらを防止するのに十分な時間、例えば１０秒に設定される。
【００３３】
こうして掃気時間を設定すると、バーナ１１０の消火から掃気時間が経過したか否かを判断する（ＳＴＥＰ１０８）。掃気時間が経過していない場合は（ＳＴＥＰ１０８：ｎｏ）、掃気時間が経過するまで待機する。その後、掃気時間が経過した場合は（ＳＴＥＰ１０８：ｙｅｓ）、燃焼ファン１４０を停止させることで掃気運転を終了し（ＳＴＥＰ１１０）、図４の掃気制御処理も終了する。
【００３４】
以上に説明したように本実施例の熱源装置１では、運転スイッチが切られてバーナ１１０の消火が行われると、マニホールド１２０が十分に暖まっていない場合があり、結露する可能性があるため、所定時間（３分）に亘って掃気運転を十分に行うことで、マニホールド１２０での結露の発生を抑制することができる。また、運転スイッチが切られた後は、熱媒の温度を維持する必要がないので、掃気運転（燃焼ファン１４０の送風）によって第１熱交換器２００などが冷却されても、熱効率が問題になることもない。
【００３５】
これに対して、熱媒の温度が消火温度に達してバーナ１１０の消火が行われると、断続燃焼制御によって熱媒の温度が維持された状態であり、マニホールド１２０は十分に暖まっているので、マニホールド１２０で結露は生じ難い。そして、断続燃焼制御ではバーナ１１０の消火が行われても、その後にバーナ１１０での燃焼の再開が予定されていることから、所定時間よりも短い掃気時間（１０秒）に短縮することで、掃気運転（燃焼ファン１４０の送風）による第１熱交換器２００などの冷却を低減することができ、その結果、熱媒の温度を維持する熱効率を向上させることが可能となる。
【００３６】
上述した本実施例の熱源装置１には、次のような変形例も存在する。以下では、上述の実施例とは異なる点を中心に変形例について説明する。尚、変形例の説明では、上述の実施例と同様の構成については同じ符号を付して説明を省略する。
【００３７】
図５は、変形例の制御部１５０が実行する掃気制御処理のフローチャートである。変形例の掃気制御処理も、前述した実施例と同様に、バーナ１１０の燃焼制御処理でバーナ１１０の消火が行われると、実行される。変形例の掃気制御処理では、作動中の燃焼ファン１４０の送風を継続することによって掃気運転を開始すると（ＳＴＥＰ２００）、続いて、外気温が基準値（例えば１５度）以上であるか否かを判断する（ＳＴＥＰ２０２）。変形例の熱源装置１には、外気温を検知する図示しない外気温センサーが外部に設置されており、この外気温センサーは制御部１５０と接続されている。
【００３８】
そして、外気温が基準値（１５度）以上である場合は（ＳＴＥＰ２０２：ｙｅｓ）、掃気時間を第１所定時間に設定する（ＳＴＥＰ２０４）。変形例の熱源装置１では、外気温が基準値以上であれば、マニホールド１２０で結露が生じ難い状況にあり、第１所定時間は、結露を防止するよりも、次回の点火時の爆発的な着火や、後沸きを防止するのに十分な時間、例えば１０秒に設定される。
【００３９】
一方、外気温が基準値（１５度）よりも低い場合は（ＳＴＥＰ２０２：ｎｏ）、次に、バーナ１１０の消火が、熱媒の温度が消火温度に達したことによるものであるか否かを判断する（ＳＴＥＰ２０６）。そして、熱媒の温度が消火温度に達したことによるものではなく、運転スイッチが切られたことによってバーナ１１０の消火が行われた場合は（ＳＴＥＰ２０６：ｎｏ）、掃気時間を第１所定時間よりも長い第２所定時間に設定する（ＳＴＥＰ２０８）。外気温が基準値よりも低く、且つマニホールド１２０が十分に暖まる前にバーナ１１０の消火が行われると、マニホールド１２０で結露が生じ易い状況にあるので、第２所定時間としては、結露を防止するために十分な時間、例えば３分に設定される。
【００４０】
これに対して、熱媒の温度が消火温度に達したことによってバーナ１１０の消火が行われた場合は（ＳＴＥＰ２０６：ｙｅｓ）、外気温が基準値よりも低くても、掃気時間を延長することなく、第１所定時間（１０秒）に設定する（ＳＴＥＰ２０４）。
【００４１】
こうして掃気時間を設定すると、バーナ１１０の消火から掃気時間が経過したか否かを判断し（ＳＴＥＰ２１０）、掃気時間が経過していない場合は（ＳＴＥＰ２１０：ｎｏ）、掃気時間が経過するまで待機する。その後、掃気時間が経過した場合は（ＳＴＥＰ２１０：ｙｅｓ）、燃焼ファン１４０を停止させることで掃気運転を終了し（ＳＴＥＰ２１２）、図５の掃気制御処理も終了する。
【００４２】
以上のように変形例の熱源装置１では、まず外気温に基づいて、マニホールド１２０で結露が生じ易い状況であるか否かを判断し、外気温が基準値（１５度）よりも低く結露が生じ易い状況では、掃気時間を延長することで、結露の発生を抑制することができる。ただし、外気温が基準値よりも低くても、熱媒の温度が消火温度に達してバーナ１１０の消火が行われた場合は、断続燃焼制御中でマニホールド１２０は十分に暖まっており、マニホールド１２０で結露は生じ難いことから、掃気時間を延長しないことで、掃気運転（燃焼ファン１４０の送風）による第１熱交換器２００などの冷却が抑えられ、熱媒の温度を維持する熱効率を向上させることができる。
【００４３】
以上、本実施例および変形例の熱源装置１について説明したが、本発明は上記の実施例および変形例に限られるものではなく、その要旨を逸脱しない範囲において種々の態様で実施することが可能である。
【００４４】
例えば、前述した実施例の熱源装置１では、暖房用の熱を供給するようになっていたが、断続燃焼制御を行う熱源装置１であれば、暖房用の熱を供給するものに限られず、給湯用の熱を供給するものであってもよい。図６は、熱源装置１で給湯用の熱を供給する例を示した説明図である。図６には、熱源装置１の循環回路２０８に設けられた液／液熱交換器３１０が示されている。液／液熱交換器３１０は、二重管構造になっており、内管３１０ａには往き通路２０８ａおよび戻り通路２０８ｂが接続されて、第１熱交換器２００で加熱された熱媒が循環するようになっている。一方、外管３１０ｂには、戻り通路２０８ｂ側の端部に給水通路３１２が接続され、往き通路２０８ａ側の端部に給湯通路３１４が接続されている。給水通路３１２を通じて供給された水は、液／液熱交換器３１０で熱媒との熱交換によって加熱された後、湯となって給湯通路３１４に流出する。給水通路３１２には、水の流れを検知する図示しない流量センサーが設けられており、この流量センサーは制御部１５０と接続されている。そして、制御部１５０は、流量センサーで水の流れが検知されると、循環ポンプ２０６および燃焼ファン１４０を作動させると共に、バーナ１１０で燃焼を開始させるようになっている。このような給湯用の熱を供給する熱源装置１においても、前述した実施例と同様に、本発明を好適に適用することができる。
【００４５】
また、前述した変形例では、外気温が基準値（１５度）よりも低くても、熱媒の温度が消火温度に達してバーナ１１０の消火が行われた場合は、掃気時間を第１所定時間（１０秒）よりも長い第２所定時間（３分）に延長することなく、第１所定時間に設定するようになっていた。しかし、このような場合の掃気時間は、外気温が基準値以上である場合と同じ第１所定時間に限られず、第２所定時間よりも短ければ、第１所定時間よりも長い時間（例えば３０秒）に設定してもよい。このようにしても、掃気時間が第２所定時間に設定される場合に比べて、掃気運転（燃焼ファン１４０の送風）による第１熱交換器２００などの冷却が抑えられるので、断続燃焼制御で熱媒の温度を維持する熱効率の向上を図ることができる。もちろん、掃気時間を短く設定するほど、熱効率を向上させることができる。
【符号の説明】
【００４６】
１…熱源装置、          １００…燃焼ユニット、    １０２…燃焼室、
１１０…バーナ、        １１２…炎口、            １１４…ガス流入口、
１１６…混合通路、      １２０…マニホールド、    １２２…ノズル、
１２４…ガス流通孔、    １２６…分配通路、        １３０…ガス流路、
１３２…元弁、          １３４…比例弁、          １３６ａ…第１切換弁、
１３６ｂ…第２切換弁、  １４０…燃焼ファン、      １４２…点火プラグ、
１５０…制御部、        ２００…第１熱交換器、    ２０２…第２熱交換器、
２０４…連絡通路、      ２０６…循環ポンプ、      ２０８…循環回路、
２０８ａ…往き通路、    ２０８ｂ…戻り通路、      ２１０…熱媒温度センサー、
２２２…排水管、        ２２４…中和器、          ２３０…排気口、
３００…暖房端末、      ３１０…液／液熱交換器、  ３１０ａ…内管、
３１０ｂ…外管、        ３１２…給水通路、        ３１４…給湯通路。
【図１】
0006632439.tif 000002
【図２】
0006632439.tif 000003
【図３】
0006632439.tif 000004
【図４】
0006632439.tif 000005
【図５】
0006632439.tif 000006
【図６】
0006632439.tif 000007